(57)【特許請求の範囲】
【請求項１】
筒状周壁の両開口端の少なくとも一方を、当該筒状周壁から延在するフラップ状の閉止蓋（２０）で閉じる箱体において、
閉止蓋（２０）は、開口閉止部（２１）と、開口閉止部から延在して箱内に差し込まれる差込フラップ（２２）とを備え、
差込フラップ（２２）には、根本の両側に第１係合切込み（２６ａ、２６ａ）が形成された差込突片（２５）が形成されていて、
閉止蓋の差込フラップ（２２）が差し込まれる筒状周壁（１１ｄ、１１１ｄ）内面に沿ってシート材（３０、１３０）が配置され、当該シート材（３０、１３０）には、差込突片（２５）が差し込まれる差込口（３１、１３１）が設けられ、当該差込口（３１、１３１）の両端に外側に向かって第２係合切込み（３１ａ、３１ａ）が形成されていて、
差込突片（２５）を差込口（３１、１３１）に差し込んで閉止蓋（２２）を閉じると、第１および第２の係合切込み（２６ａ、３１ａ）が係合して、閉止状態が維持されることを特徴とする、不正開封防止機能付き箱体。
【請求項２】
上記シート材（３０、１３０）は、差込口（３１、１３１）に差し込まれた差込突片（２５）に対応する領域に、箱内方に向かって隆起する隆起部（３８）を備えることを特徴とする、請求項１記載の箱体。
【請求項３】
上記筒状周壁（１１ｄ、１１１ｄ）は、差込口（３１、１３１）に差し込まれた差込突片（２５）に対応する領域に、箱外方に向かって隆起する隆起部（１８）を備えることを特徴とする、請求項１記載の箱体。
【請求項４】
上記筒状周壁（１１ｄ、１１１ｄ）は、差込口（３１、１３１）に差し込まれた差込突片（２５）に対応する領域に、当該差込突片（２５）の存在を確認するための開口（１３５）を備えることを特徴とする、請求項１記載の箱体。
【請求項５】
上記差込突片（２５）の根本には、両側の第１係合切込み（２６ａ、２６ａ）を連結するミシン目（１３８）が形成されていることを特徴とする、請求項４記載の不正開封防止機能付き箱体。
【請求項６】
上記差込フラップ（２２）には、差込突片（２５）両側の第１係合切込み（２６ａ、２６ａ）の最奥端から開口閉止部（２１）に向かって延在する折罫（１４０、１４０）が形成されていることを特徴とする、請求項１記載の不正開封防止機能付き箱体。
【請求項７】
上記筒状周壁（１１ｄ、１１１ｄ）は、差込口（３１、１３１）に差し込まれた差込突片（２５）を露出させるための破断線（１５０）に囲まれた破断領域（１５１）を備えることを特徴とする、請求項１記載の箱体。
【請求項８】
筒状周壁の両方の開口端に対して、請求項１〜７のいずれかに記載の構成が採用されていることを特徴とする、不正開封防止機能付き箱体。
【発明の詳細な説明】
【技術分野】
【０００１】
本発明は、不正開封防止機能付き箱体に関する。
【背景技術】
【０００２】
例えば貼付剤等の商品を内部に収容して販売される包装用箱において、不正開封防止機能を備えたものが従来から種々知られている。これは、第三者による不正な開封を防止するとともに、仮に不正開封が行われた場合であっても、その事実が一目で認識できるような構成として、購入者に安心感を与えることを意図したものである。
【０００３】
特許文献１に開示された不正開封防止箱は、接着剤を用いることなく、容易かつ強固な密封を可能としたものである。
前部側壁板１２の上端中央において、２つのクランク状切れ目３５の間に嵌込み片３０が形成されている。一方、上部蓋板１７に連設された差込片１６には、切込み線２４を含むつまみ片２７が形成されている。前部側壁板１２に形成された嵌込み片３０を切込み線２４に差し込むようにして上部蓋板１７を閉じると、嵌込み片３０の係合部３１と、差込片１６の係合部３２とが係合して抜き出し不能状態となり、これにより不正開封を防止できる。
【０００４】
【特許文献１】実用新案登録第３０９２４９７号公報
【発明の開示】
【発明が解決しようとする課題】
【０００５】
しかしながら、上記特許文献１に開示された不正開封防止箱においては、当該文献１中の図３からも明らかなように、嵌込み片３０と切込み線２４との連結部分が前部側壁板１２の表面上に露出しているため、外部から当該連結部分にダイレクトにアクセスすることが可能となる。つまり、当該連結部分が抜き出し不能状態にあるとはいっても、ダイレクトなアクセスが可能であるため、悪意の第三者にとって、無理矢理こじ開けることは比較的容易である。
また、この不正開封防止箱を封止する際には、前部側壁板１２に形成された嵌込み片３０を切込み線２４に差し込む必要があるが、切込み線２４は平坦シート状の差込片１６に形成されているので、差込み作業がしずらいという問題がある。
【０００６】
本発明は、かかる従来の問題を有効に解決するために創案されたものであって、悪意の第三者による開封がよりいっそう困難な不正開封防止箱を提供することを目的とする。さらに本発明は、箱を閉じる封止作業がより簡単な不正開封防止箱を提供することを目的とする。
【課題を解決するための手段】
【０００７】
本発明の箱体においては、筒状周壁の両開口端の少なくとも一方を、当該筒状周壁から延在するフラップ状の閉止蓋で閉じる。閉止蓋は、開口閉止部と、開口閉止部から延在して箱内に差し込まれる差込フラップとを備える。差込フラップには、根本の両側に第１係合切込みが形成された差込突片が形成されている。
また、閉止蓋の差込フラップが差し込まれる筒状周壁内面に沿ってシート材が配置されていて、当該シート材には、差込突片が差し込まれる差込口が設けられている。この差込口の両端には、外側に向かって延在する第２係合切込みが形成されている。
差込突片を差込口に差し込んで閉止蓋を閉じると、第１および第２の係合切込みが互いに係合して閉止状態が維持され、第三者による不正開封を防止する。
【発明の効果】
【０００８】
上記構成を有する本発明の不正開封防止機能付き箱体においては、差込突片を差込口に差し込むだけで、第１および第２の係合切込みが互いに係合して閉止状態が維持できるので、当該閉止部分を接着剤等で閉止することなく、不正な開封を防止できる。
さらには、箱内部に存在するシート材に差込口を設けているので（すなわち、外部に露出する周壁面には差込口を設けていないので）、当該閉止部分は外部からダイレクトにアクセスすることはできない。したがって、これを不正にこじ開ける作業は非常に面倒なものとなるので、店頭において悪意の第三者が短時間で不正開封するのが困難となり、防犯効果が高い。
【０００９】
なお、本発明の箱体においては、上記シート材は、差込口に差し込まれた差込突片に対応する領域に、箱内方に向かって隆起する隆起部を備えることが好ましい。また、上記筒状周壁は、差込口に差し込まれた差込突片に対応する領域に、箱外方に向かって隆起する隆起部を備えることが好ましい。
このような構成を採用した場合には、差込口への差込突片の差込み作業が容易となり、機械による自動組み立てラインへの適用を考える場合に有利である。
【発明を実施するための最良の形態】
【００１０】
添付の図面を参照して、本発明の実施形態を以下に説明する。図１は、本発明の一実施形態に係る箱体１０の斜視図である。図２は、箱体１０の製造に用いるブランク１０’を示している。すなわち、打抜き加工で形成したブランク１０’を組み立てると、箱体１０が得られる。箱体１０は、４つの壁部１１ａ〜１１ｄで構成される四角形筒状の周壁を備えている。
【００１１】
周壁１１ｂの上端には、折罫１００を介して、フラップ状の閉止蓋２０が連設されている。この閉止蓋２０は、開口閉止部２１と差込フラップ２２とを備える。
開口閉止部２１は、周壁１１ａ〜１１ｄの上方開口の形状に対応する四角形形状に構成されている。
差込フラップ２２は、折罫１０１を介して開口閉止部２１に連設されていて、差込突片２５を有する。この差込突片２５は、後述する差込口３１に差し込まれて、箱体１０の不正開封を防止するためのものである。
【００１２】
一方、壁部１１ｄの上端には、折罫１０５を介して、折畳片３０が連設されている。折畳片３０は、壁部１１ｄ上に折り返されて、箱体１０の内部にまで延在している（図１参照）。
折畳片３０の箱体内部に位置する領域には、差込口３１が形成されている。後で詳述するが、この差込口３１に差込フラップ２２の差込突片２５が差し込まれて閉止状態を維持し、第三者による不正開封を防止する。
折畳片３０の箱外部に突出する領域には吊下孔３５が形成されている。すなわち、この箱体１０は、コンビニエンスストアやデパート等の売り場において、吊下げ状態で陳列される。
【００１３】
≪不正開封を防止するための機構≫
差込突片２５を差込口３１に差し込んで閉止蓋２０を閉じると、両者が係合して、閉止状態が維持される。これを図３〜図６を参照して、詳細に説明する。
【００１４】
図３は、図１中の差込フラップ２２に設けた差込突片２５を拡大して示している。差込突片２５の両側根本部分には、切込み２６が入れられている。切込み２６の最奥部は罫線１０１とほぼ平行に延びていて、この部分が第１係合切込み２６ａを構成する。
一方、図４は、図１中の折畳片３０に形成された差込口３１を拡大して示している。この差込口３１に差込突片２５が差し込まれる。差込口３１は、横方向に延びる細長い四角形形状の開口であって、その両側には外部に向かって延在する第２係合切込み３１ａが形成されている。
【００１５】
図５は、図１中の矢印Ａ方向に閉止蓋２０を閉じる場合において、差込突片２５の先端が差込口３１に部分的に挿入された状態を、箱の内部から見て模式的に示している。
図５では、差込突片２５の根本に形成された第１係合切込み２６ａ、および差込口３１から外側に向かって延在する第２係合切込み３１ａを、それぞれ拡大して示している。
第１係合切込み２６ａの部分には、図中上方を向く第１係合面２６ｂが形成される。この面２６ｂは、箱体１０を構成するブランク１０'の厚み方向に拡がる面である。一方、第２係合切込み３１ａの部分には、図中下方を向く第２係合面３１ｂが形成される。差込突片２５が差込口３１に完全に差し込まれた状態（図６）では、両係合面２６ｂ、３１ｂが当接することで、差込突片２５が抜け出ることが禁止される。すなわち、閉止状態が維持される。このことを図６を参照して説明する。
【００１６】
図６は、差込突片２５を差込口３１に完全に差し込んだ状態を示している。係合切込み３１ａを含めた差込口３１の全幅は、係合切込み２６ａを含めた差込突片２５の全幅とほぼ等しいので、差込突片２５が差込口３１内に完全に差し込まれると、図６中に拡大して示しているように、第１係合切込み２６ａにより構成された第１係合面２６ｂと、第２係合切込み３１ａにより構成された第２係合面３１ｂと、が上下方向に向かい合って位置する。
したがって、差込突片２５を抜き出す方向に力が作用したとしても、第１係合面２６ｂと第２係合面３１ｂとが当接することによって、抜出しが禁止される。なお、図５および図６においては、差込突片２５と差込口３１との左側端部における係合機構のみを拡大して示しているが、右側の端部においても同様の係合が行われる。
【００１７】
なお、図６中の拡大部分は、係合箇所の要部のみを取り出して図示しているが、図６中に拡大した第１係合面２６ｂおよび第２係合面３１ｂは、それぞれ、図５中で拡大して示したものと対応している。
【００１８】
以上のようにして形成された係合箇所を無理にこじ開けるためには、差込フラップ２２または折畳片３０を部分的に破断するしかない。しかも、差込口３１は、箱内部に存在している。つまり、箱体１０の後方壁部１１ｄの内側に沿って延在する折畳片３０に差込口３１が形成されているので、図７の後方斜視図に示したように、差込口３１と差込突片２５との係合箇所は箱外部から視認できない。このため、箱体１０の外部から当該係合箇所にダイレクトにアクセスすることができず、こじ開ける作業はより困難となる。
【００１９】
つまり、店頭で不正開封を行おうとしても、こじ開けることが困難で時間を要するので、結果として防犯効果を高めることができる。
【００２０】
なお、図２から分かるように、箱体１０の底壁１９は、折罫１０３を介して連設された通常の差込み底で構成されているが、底壁に対しても、上記と同様の不正開封防止機構を採用することが可能であり、防犯効果をいっそう高めることができる。
【００２１】
≪浮き出しによる差込作業の容易化≫
以上説明したように、本発明の箱体１０においては、差込突片２５が差込口３１に差し込まれるが、差込口３１はシート状の折畳片３０に形成されていて、そのような差込口３１に対して、差込突片２５を当該シート表面に沿ってスライドさせながら差し込むこととなる。その際に、差込作業を簡単かつ確実なものとするために、本発明では、浮出し（隆起部）を利用することが好ましい。図８は、浮出し（隆起部）を説明する模式図である。
【００２２】
図８（ａ）は、図４に対応する図であって、折畳片３０に隆起部３８を設ける場合を説明している。折畳片３０に形成された差込口３１の下方側の領域（すなわち、差込口３１に差し込まれた差込突片２５に対応する位置）に隆起部３８が形成されている。この隆起部３８は、箱の内側に向かって突出するように隆起している。
差込突片２５は、図８（ａ）において上方側から差込口３１に差し込まれるので、このような隆起部３８が存在することにより、差込み作業が簡単かつ確実となることは容易に理解できる。
【００２３】
図８（ｂ）は、壁部１１ｄに隆起部１８を設ける場合を説明するもので、隆起部１８は箱の外側に向かって隆起している。
隆起部１８は、図８（ａ）の隆起部３８のちょうど裏側に位置する。すなわち、図１から分かるように、折畳片３０は、壁部１１ｄ上に折り畳まれているが、このとき隆起部３８がちょうど隆起部１８に重なるように位置する。
【００２４】
なお、図２において、隆起部３８、１８が設けられるブランク１０’上の位置を斜線領域で示している。折畳片３０を壁部１１ｄ上に折り返したときに、両者が重なることが分かる。
以上のような隆起部３８、１８を設けることで、箱を封止する際の差込み作業が容易となり、機械による自動組み立てラインへの適用も容易となる。
【００２５】
箱体１０に隆起部３８、１８を設ける方法は、次の通りである。すなわち、図２に示したブランク１０’の打抜き加工に用いる型板に、対応する隆起部を設けておくことで、打抜き加工と同時に隆起部３８、１８を形成できる。隆起部３８、１８は、これらを両方とも設けてもよいし、いずれか一方だけを設けてもよい。
なお、図８（ａ）および図８（ｂ）では、理解を容易にするために、隆起部３８、１８を実際よりも誇張して、大きく突出させて描いている。
【００２６】
≪変形例≫
本発明においては、差込突片２５を差し込むための差込口３１は、外部からダイレクトにアクセスできないように箱内部に存在すれば足りる。したがって、必ずしも図１に示したような折畳片３０に差込口３１が形成されていることは必要ではない。
図９および図１０に示した変形例では、差込口１３１が形成された折畳片１３０は、図１の折畳片３０とは異なり、折畳片全体が箱内へと折り畳まれている。
【００２７】
図１０は、図９において紙面向こう側に位置する後方壁部１１１ｄを手前側にして、箱体１１０を閉じた状態で示す後方斜視図である。箱体１１０においても、差込突片２５と差込口１３１との係合箇所は、外部からダイレクトにアクセスできないことが分かる。
この箱体１１０は、図１０に示したように、閉じた状態において、箱の上方に向かって突出する部分は存在せず、図１に示したような吊下孔３５も備えていない。すなわち、この箱体１１０は、吊り下げて陳列されるものではなく、棚等に並べて陳列されるものである。
このように、本発明による不正開封防止機構は、吊り下げて陳列するタイプの箱、および載置して陳列されるタイプの箱のいずれに対しても適用可能である。この点において、載置して陳列されるタイプの箱にしか適用できない特許文献１の従来例よりも有利である。
【００２８】
差込突片２５や差込口１３１自体の構成は、図１〜図８を参照して既に説明したものと何ら変わるところはなく、閉止状態を維持して不正開封を防止する機構についても前述のものと同じである。
したがって、図示はしていないが、この変形例においても図８で説明したのと同様の浮出し（隆起部）を設けることが好ましい。
【００２９】
また、図９および図１０に示した例の以外にも、例えば、箱体内に個別のシート材を配置して（図示せず）、このシート材に差込口を形成した場合にも同様の効果を得ることができる。
【００３０】
≪差し込まれた差込突片２５の存在を確認するための窓（開口）１３５を設けた例≫
図１１は、図１０に対応する後方斜視図であって、箱体の後方壁部１１１ｄに窓（開口）１３５を設けた例を示している。この箱体は、差込口１３１に差込突片２５を差し込むことで封止されるが、窓１３５を設けることで、そのような差し込みが良好に行われたことが確認可能となる。
例えば、窓１３５から露出する差込突片２５の部分に着色すれば、この確認を一目瞭然で行うことができる。色は、後方壁部１１１ｄとのコントラストにより目立つ色を適宜採用することができる。
【００３１】
≪差込突片２５の根本にミシン目１３８を設けた例≫
上記のような窓１３５を採用する場合、差込突片２５の根本にミシン目１３８を形成することが好ましい。ミシン目１３８は、図１２に示したように、差込突片２５の根本両側の第１係合切込み２６ａ、２６ａを連結するように構成する。このようなミシン目１３８を設ける意味は次の通りである。
【００３２】
悪意の第三者がこの箱体を無理矢理こじ開けようとした場合、差込突片２５のミシン目１３８の部分は強度が弱いので、差込突片２５が破断して箱内で下方側に落下する。すなわち、窓１３５を通して、差込突片２５が存在しないことが分かる。これにより、不正開封が行われた（あるいは、行われようとした）ことが分かる。
【００３３】
以上のように、窓１３５およびミシン目１３８を採用する場合、窓１３５の内側に差込突片２５が存在する場合と、しない場合とで、視覚的な差異が大きく異なるようにしておけば、何らかの異常、すなわち、「もともと、箱体の封止が良好に行われていない」、「不正開封が行われた」、「不正開封が行われようとした」等の異常を目視で容易に確認できる。
なお、ミシン目１３８の具体的な形状は、図示のようなアーチ状のものに限定されるものではなく、適当な形状を適宜採用することができる。
【００３４】
≪差込フラップ２２に折罫１４０を形成した例≫
次に、悪意の第三者による不正な開封をより有効に防止するための折罫１４０を設ける場合を説明する。この折罫１４０は、図１２に示したように、差込突片２５両側の第１係合切込み２６ａ、２６ａの最奥端から開口閉止部２１に向かって延在している。ただし、その具体的な形状、長さ、角度等は、図示のものに限定されるものではなく、適当な形態を適宜採用することができる。
図１３に示したように、悪意の第三者が不正な開封を行う場合、図１３中に矢印で示した方向に指を差し込んで、差込突片２５の上方部位（２本の折罫１４０の間の領域）を箱内方へと押しながら、差込突片２５を引き抜こうとする。すなわち、差込突片２５の上方部位を箱内方へと押すことによって、図６を参照して説明した第１係合切込み２６ａと第２係合切込み３１ａとの係合を解こうとするのである。
ところが、折罫１４０を形成しておくと、差込突片２５の上方部位を箱内方へと押し込んだとしても、差込みフラップ２２を構成する壁面が撓むだけで、当該押込み動作に連動して第１係合切込み２６ａと第２係合切込み３１ａとの係合が外れるということは生じ難くなる。逆に、折罫１４０が存在しない場合には、差込みフラップ２２を構成する壁面の剛性が高い分だけ、上記押込み動作に連動して第１係合切込み２６ａと第２係合切込み３１ａとの係合が外れ易くなってしまう。折罫１４０を形成することで、そのような不都合を防止できる。
【００３５】
以上に説明した各実施形態においては、差込突片と差込口との係合を利用した不正開封防止機構を上方側の蓋部に対してのみ採用しているが、箱の底壁に対しても（あるいは底壁に対してだけ）同様の機構を設けることも可能である。
また、差込突片と差込口の係合箇所が１箇所のみである例を示して説明したが、複数組の差込突片および差込口を並列に形成して、複数箇所で係合するような構成としてもよい。
【００３６】
≪正規購入者が開封するための構成≫
なお、正規に商品を購入した消費者が上記箱体を容易に開封できるような構成を別途設けておいてもよい。図１４に、そのような構成の一例を示した。
図１４（ａ）は、図１０に対応する後方斜視図であって、後方壁部１１１ｄに開封用の破断線１５０を形成している。破断する場合には、１５０ａの部分に指を差し込んで、破断線１５０で囲まれた破断領域１５１を破り取ることができる。
図１４（ｂ）は、破断領域１５１を破り取った後の状態を示す後方斜視図である。破断線１５０で囲まれた領域が破り取られ、その部分に折畳片１３０が見えている。そして、折畳片１３０に形成した差込口１３１に差し込まれた差込突片２５が露出している。正規購入者は、この露出した差込突片２５を破り取る、または差込突片２５を押し上げて差込口１３１から離合させることで、箱体を開封することができる。
なお、正規購入者が開封するための構成としては、図１４に示したものに限らず、箱菓子等において一般に採用されているジッパー構成等、適宜のものを採用できる。
【図面の簡単な説明】
【００３７】
【図１】本発明の一実施形態に係る箱体を説明する斜視図。
【図２】図１の箱体のブランクを示す図。
【図３】図１中の差込突片を示す拡大図。
【図４】図１中の差込口を示す拡大図。
【図５】図１の箱体における不正開封防止機構を説明する模式図。
【図６】図５の状態から差込みが完了した状態を説明する模式図。
【図７】図１の箱体を閉じた状態で背面側から示す後方斜視図。
【図８】差込み作業を容易にする隆起部を説明する図
【図９】本発明の他の実施形態に係る箱体を説明する斜視図。
【図１０】図９の箱体を閉じた状態で背面側から示す後方斜視図。
【図１１】差込突片が差込口に良好に差し込まれていることを確認するための窓を設けた例を示す後方斜視図。
【図１２】差込突片の根本にミシン目を形成した例を示す拡大図。
【図１３】差込フラップに形成した折罫の機能を説明する後方斜視図。
【図１４】正規購入者が容易に開封できるように、破断領域を設けた例を示す後方斜視図。
【符号の説明】
【００３８】
１０  箱体
１０'  箱体を構成するブランク
１１ａ〜１１ｄ  周壁
１８  隆起部（浮出し）
１９  底壁
２０  閉止蓋
２１  開口閉止部
２２  差込フラップ
２５  差込突片
２６  切込み
２６ａ  第１係合切込み
２６ｂ  第１係合面
３０、１３０  折畳片
３１、１３１  差込口
３１ａ  第２係合切込み
３１ｂ  第２係合面
３５  吊下孔
３８  隆起部（浮出し）
１００、１０１、１０３、１０５  折罫
１３５  窓（開口）
１３８  ミシン目
１４０  折罫
１５０  破断線
１５１  破断領域
【要約】
【課題】  悪意の第三者による開封が困難な不正開封防止箱を提供する。
【解決手段】  筒状周壁１１ａ〜１１ｄの開口端を、当該筒状周壁から延在するフラップ状の閉止蓋２０で閉じる。閉止蓋２０は、開口閉止部２１と、開口閉止部から延在して箱内に差し込まれる差込フラップ２２とを備える。差込フラップ２２には、根本の両側に第１係合切込み２６ａが形成された差込突片２５が形成されている。また、閉止蓋の差込フラップ２２が差し込まれる筒状周壁内面に沿ってシート材３０が配置されていて、当該シート材３０には、差込突片２５が差し込まれる差込口３１が設けられている。この差込口３１の両端には、外側に向かって延在する第２係合切込み３１ａが形成されている。差込突片２５を差込口３１に差し込むようにして閉止蓋２０を閉じると、第１および第２の係合切込み２６ａ、３１ａが互いに係合して閉止状態が維持され、第三者による不正開封を防止する。
【選択図】  図１
【図１】
0003699468.tif 000002
【図２】
0003699468.tif 000003
【図３】
0003699468.tif 000004
【図４】
0003699468.tif 000005
【図５】
0003699468.tif 000006
【図６】
0003699468.tif 000007
【図７】
0003699468.tif 000008
【図８】
0003699468.tif 000009
【図９】
0003699468.tif 000010
【図１０】
0003699468.tif 000011
【図１１】
0003699468.tif 000012
【図１２】
0003699468.tif 000013
【図１３】
0003699468.tif 000014
【図１４】
0003699468.tif 000015